(57)【要約】【課題】パレット上に載置した載置物を容易に取り出すことのできるパレットを提供する。【解決手段】棚装置における棚に対して前後方向に出入自在なパレットであって、前記棚に対して前後方向に出入自在なパレット本体５を備え、このパレット本体５に、複数の補助パレット１３Ａ〜１３Ｃを前後動可能に備え、前記各補助パレット１３Ａ〜１３Ｃの上面に、複数の凹部１９又は凸部を備え、前記各補助パレット１３Ａ〜１３Ｃを前後動自在に案内支持する案内支持部材１７を前記パレット本体５に備えると共に、ストッパを係止自在な複数のストッパ係止部２３を前後方向に適宜間隔に備え、前記補助パレット１３Ａ〜１３Ｃの前側に、当該補助パレット１３Ａ〜１３Ｃを押し引きするための把持部２７を備えると共に、前記ストッパ係止部２３に係脱自在なストッパを操作するストッパ操作レバー２５を前記各補助パレット１３Ａ〜１３Ｃの前側に備えている。【選択図】図２
2014043297.tif 000002
【特許請求の範囲】
【請求項１】
棚装置における棚に対して前後方向に出入自在なパレットであって、前記棚に対して前後方向に出入自在なパレット本体を備え、このパレット本体に、複数の補助パレットを前後動可能に備えていることを特徴とするパレット。
【請求項２】
請求項１に記載のパレットにおいて、前記各補助パレットの上面に、複数の凹部又は凸部を備えていることを特徴とするパレット。
【請求項３】
請求項１又は２に記載のパレットにおいて、前記各補助パレットを前後動自在に案内支持する案内支持部材を前記パレット本体に備えると共に、ストッパを係止自在な複数のストッパ係止部を前後方向に適宜間隔に備え、前記補助パレットの前側に、当該補助パレットを押し引きするための把持部を備えると共に、前記ストッパ係止部に係脱自在なストッパを操作するストッパ操作レバーを前記各補助パレットの前側に備えていることを特徴とするパレット。
【発明の詳細な説明】
【技術分野】
【０００１】
本発明は、棚を複数段備えた棚設置における棚に対して前後方向へ出入自在なパレットに係り、さらに詳細には、パレット上に載置されたワークや製品などの載置物の取り出しを容易に行うことができるパレットに関する。
【背景技術】
【０００２】
従来、例えばタレットパンチプレスやレーザ加工機などの板材加工機によって板状のワークの加工を行う場合、前記板材加工機に対するワークの供給や加工後の製品の格納などが行われている。そして、ワークや製品を格納する装置として棚装置が利用されている（例えば特許文献１、２等を参照）。
【０００３】
前記特許文献１、２に記載されているように、棚装置は、枠体フレームに備えた複数段の棚に対してパレットをそれぞれ出入自在に格納している。そして、前記各棚に対して各パレットを出入れするために、前記枠材フレームの一側（前側）には、前記パレットを出入れするためのトラバーサを備えたエレベータ装置が上下動自在に備えられている。したがって、棚装置における所望の棚に対応した位置へエレベータ装置を位置決めすることにより、所望の棚に対してパレットを出入れすることができるものである。
【０００４】
ところで、前記エレベータ装置上に引出されたパレット上のワーク、製品などの載置物を前記パレット上から搬出しようとする場合、パレットに対する載置物の載置位置によってはパレット上からの搬出が容易でない場合がある。そこで、パレットに走向ベルトを備えて、当該走行ベルト上の載置物を一方向へ移送するパレットが提案されている（例えば、特許文献３参照）。
【先行技術文献】
【特許文献】
【０００５】
【特許文献１】特開２００１−９７５０５号公報
【特許文献２】特開２００１−１９１２３２号公報
【特許文献３】特開平６−１５６７０４号公報
【発明の概要】
【発明が解決しようとする課題】
【０００６】
前記特許文献３に記載の構成は、棚装置に対して前後方向（Ｘ軸方向）に出入自在なパレットに、走行ベルトを左右方向（Ｙ軸方向）へ走行自在に備えた構成である。したがって、パレット上の載置物を左右方向に移送することができるものの、前後方向に移送することはできないものである。よって、作業者がパレットの前側から載置物を取り出そうとするとき、後側に位置する載置物の取り出しは難しいものである。
【課題を解決するための手段】
【０００７】
本発明は、前述のごとき問題に鑑みてなされたもので、棚装置における棚に対して前後方向に出入自在なパレットであって、前記棚に対して前後方向に出入自在なパレット本体を備え、このパレット本体に、複数の補助パレットを前後動可能に備えていることを特徴とするものである。
【０００８】
また、前記パレットにおいて、前記各補助パレットの上面に、複数の凹部又は凸部を備えていることを特徴とするものである。
【０００９】
また、前記パレットにおいて、前記各補助パレットを前後動自在に案内支持する案内支持部材を前記パレット本体に備えると共に、ストッパを係止自在な複数のストッパ係止部を前後方向に適宜間隔に備え、前記補助パレットの前側に、当該補助パレットを押し引きするための把持部を備えると共に、前記ストッパ係止部に係脱自在なストッパを操作するストッパ操作レバーを前記各補助パレットの前側に備えていることを特徴とするものである。
【発明の効果】
【００１０】
本発明によれば、パレット本体に複数の補助パレットを前後動可能に備えた構成であるから、パレット本体に対して各補助パレットを個別に前側へ引出し可能である。したがって、前側へ引出された補助パレットに対して前側及び左右両側から接近可能である。よって、補助パレット上に載置されている載置物の取り出しを容易に行い得るものである。
【図面の簡単な説明】
【００１１】
【図１】本発明の実施形態に係るパレットと棚装置におけるエレベータ装置との関係を示す側面説明図である。
【図２】パレットの斜視説明図である。
【図３】補助パレットの構成を示す正面説明図である。
【発明を実施するための形態】
【００１２】
図１を参照するに、本発明の実施形態に係るパレット１は、棚装置３に備えた複数段の棚に対して前後方向（図１において左右方向）に出入自在なパレット本体５を備えている。前記棚装置３の構成は、既によく知られているように、枠材フレームに複数段の棚を備え、この各棚にパレットを前後方向に出入り自在に格納してある。そして、前記枠材フレームの前側には、エレベータ装置７が上下動自在に備えられており、このエレベータ装置７には、前記各棚に対してパレットを出入自在かつ前記エレベータ装置７上へパレットを引出し自在なトラバーサ９が前後動自在に備えられている。
【００１３】
既に理解されるように、棚装置３における棚内からエレベータ装置７上へ引き出したパレット上にワーク、製品などの載置物１１が載置してある場合、この載置物１１を作業者が取り出すことがあるものである。この場合、前記載置物１１がパレットの左右両側及び前側から離れた位置に載置してある場合には、作業者は載置物１１の取り出しが難しいものである。
【００１４】
そこで、本実施形態に係るパレット１においては、パレット１上のどの位置に載置物１１が載置されている場合であっても、前記載置物１１の取り出しを容易に行い得る構成としてある。すなわち、より詳細には、前記パレット１は、前記エレベータ装置７における前記トラバーサ９によって前後動される前記パレット本体５を備えている。このパレット本体５は、従来の一般的なパレットに相当するものである。
【００１５】
そして、前記パレット本体５の上面には、左右方向に３分割した形態の補助パレット１３Ａ、１３Ｂ、１３Ｃ（図２参照）が前後動可能に備えられている。本実施形態においては、複数の補助パレット１３Ａ〜１３Ｃはほぼ同一の大きさに構成してある。前記各補助パレット１３Ａ〜１３Ｃは直方体の枠体構成であって、左右両側面には、複数のガイドローラ１５（図３参照）が回転自在に備えられている。
【００１６】
そして、前記各ガイドローラ１５は、前記パレット本体５の上面に備えた前後方向のチャネル状のガイドレール（案内支持部材）１７に移動自在に案内支持されている。したがって、前記各補助パレット１３Ａ〜１３Ｃは個別に前後動することができると共に、複数の補助パレット１３Ａ〜１３Ｃに亘って載置物１１が載置してある場合には、複数の補助パレット１３Ａ〜１３Ｃを同時に前後動することができるものである。
【００１７】
前記各補助パレット１３Ａ〜１３Ｃの上面に載置物１１を載置したとき、載置物１１を容易に持上げることができるように、前記各補助パレット１３Ａ〜１３Ｃの上面には、複数の凹部１９が適宜間隔に備えられている。したがって、各補助パレット１３Ａ〜１３Ｃ上に載置物１１が載置してある場合、前記各凹部１９内へ指を入れることができ、載置物１１の持上げを容易に行うことができるものである。
【００１８】
なお、前記凹部１９に代えて複数の凸部（図示省略）を、各補助パレット１３Ａ〜１３Ｃの上面に適宜間隔に備えて、各補助パレット１３Ａ〜１３Ｃの上面から載置物１１を浮かせた状態に載置する構成とすることによっても同様の効果を奏し得るものである。この場合、前記凸部として回転自在なボールや摩擦係数の小さな部材を備えることにより、各補助パレット１３Ａ〜１３Ｃ上において載置物１１を前後方向及び左右方向へ軽く移動可能に支持することも可能である。
【００１９】
また、前記各補助パレット１３Ａ〜１３Ｃには、前記パレット本体５の上面に備えたストッパ係止部としてのストッパ係合凹部２３（図２参照）に係合離脱なストッパ（図示省略）が備えられている。前記ストッパ係合凹部２３は、前記パレット本体５の上面に備えたストッパプレート２４に前後方向に適宜間隔に形成してある。なお、前記ストッパ係合凹部２３は、切欠き状の凹部にて例示してある。しかし、ストッパ係合凹部２３は穴に形成することも可能である。
【００２０】
前記ストッパ係合凹部２３に対して係脱自在なストッパは、前記ストッパ係合凹部２３に係合する方向へスプリングなどの弾性部材によって常に付勢されている。なお、前記ストッパ係合凹部２３に対するストッパの係合離脱方向への移動は、直線的移動又は回動移動であってもよいものである。そして、前記ストッパ係合凹部２３に対するストッパの係脱を操作するためのストッパ操作レバー２５が前記各補助パレット１３Ａ〜１３Ｃの前側（前面）に備えられている。また、前記各補助パレット１３Ａ〜１３Ｃの前側には、各補助パレット１３Ａ〜１３Ｃを押し引きするための把持部２７が備えられている。
【００２１】
なお、前記ストッパ操作レバー２５によって、ストッパ係合凹部２３に対するストッパの係脱を操作する構成としては、ストッパ操作レバー２５を上下に又は左右に揺動すること、あるいは軸心回りに回動することによって、ストッパ係合凹部２３に対して適宜構成のストッパを係脱するように、ストッパを回動又は直線動する構成であればよいものである。この種の構成としては適宜のリンク機構によって構成されるものであり、一般的な構成であってよいものであるから、前記ストッパ係合凹部２３に対してストッパを係脱する操作系の構成についての詳細な説明は省略する。
【００２２】
前記構成により、棚装置３における所望の棚から所望のパレット１をエレベータ装置７上に引出す。そして、エレベータ装置７を所望高さ位置に位置決めした後、所望の補助パレットにおけるストッパ操作レバー２５を操作してストッパ係合凹部２３に対するストッパの係合を解除することにより、所望の補助パレット、例えば補助パレット１３Ｂを、図１、２に示すように、パレット本体５から前方へ突出するように、前方へ引出すことができるものである。そして、適宜位置のストッパ係合凹部２３に対してストッパを係合することにより、補助パレット１３Ｂを不動状態に固定することができるものである。
【００２３】
したがって、作業者は、前方へ引出された状態にある補助パレット１３Ｂに対して、前側及び左右両側から近接することができ、当該引出された状態の補助パレット１３Ｂ上の載置物１１を容易に取出すことができるものである。この際、各補助パレット１３Ａ〜１３Ｃの上面には、適宜間隔に凹部１９が形成してあるので、載置物１１の下側へ容易に指を入れることができ、載置物１１の容易に持上げることができるものである。
【００２４】
既に理解されるように、各補助パレット１３Ａ〜１３Ｃは、パレット本体５に対して個別に、又は同時に前方向引出すことができるものである。そして前方向へ突出した状態に引出された補助パレットに対して、作業者は前側及び左右両側から接近することができ、引出された状態の補助パレット上の載置物１１を容易に持上げることができ、前述したごとき問題を解消し得るものである。
【符号の説明】
【００２５】
１    パレット
３    棚装置
５    パレット本体
７    エレベータ装置
１１    載置物
１３Ａ〜１３Ｃ    補助パレット
１７    ガイドレール
１９    凹部
２３    ストッパ係合凹部（ストッパ係止部）
２５    ストッパ操作レバー
【図１】
2014043297.tif 000003
【図２】
2014043297.tif 000004
【図３】
2014043297.tif 000005